(57)【要約】【課題】特殊な識別信号等を使用することなく、ＳＭＰＴＥ３０２Ｍ規格に準拠した音声データの２種類の音声形式を自動認識し正常な音声再生を可能とする。【解決手段】音声ストリームデータから所定の音声形式の周期位置でＦビットを抽出するＦビット抽出部と、抽出したＦビットが所定の音声形式の周期性を有するか否かを判断し判断信号を得るＦビット周期検出部と、判断信号が所定の音声形式の周期性を検出したことを示した場合にのみ音声ストリームデータから分離した音声信号を出力するエラー処理部とを備える。【選択図】        図１
2005003913.tif 000002
【特許請求の範囲】
【請求項１】
同じ所定の数のフレームで構成され、所定の数のフレーム毎に挿入されるＦビットが互いに異なる周期位置で挿入されている複数の音声形式の音声ストリームデータが入力される音声データ形式自動認識装置であって、
前記音声ストリームデータから所定の音声形式の周期位置でＦビットを抽出するＦビット抽出部と、
抽出したＦビットが前記所定の音声形式の周期性を有するか否かを判断し判断信号を得るＦビット周期検出部と、
前記判断信号が前記所定の音声形式の周期性を検出したことを示した場合にのみ前記音声ストリームデータから分離した音声信号を出力するエラー処理部とを備えた音声データ形式自動認識装置。
【請求項２】
同じ所定の数のフレームで構成され、所定の数のフレーム毎に挿入されるＦビットが互いに異なる周期位置で挿入されている音声形式１および音声形式２の音声ストリームデータが入力される音声データ形式自動認識装置であって、
音声ストリームデータから前記音声形式１の周期位置でＦビットを抽出する第１のＦビット抽出部と、
音声ストリームデータから前記音声形式２の周期位置でＦビットを抽出する第２のＦビット抽出部と、
前記第１のＦビット抽出部で抽出したＦビットが前記音声形式１の周期性を有するか否かを判断し第１の判断信号を得る第１のＦビット周期検出部と、
前記第２のＦビット抽出部で抽出したＦビットが前記音声形式２の周期性を有するか否かを判断し第２の判断信号を得る第２のＦビット周期検出部と、
前記第１および第２の判断信号から音声形式を判定して判定信号を出力する形式判定部と、
前記判定信号が示す音声形式の音声ストリームデータから分離した音声信号を出力する音声形式選択部とを備えた音声データ形式自動認識装置。
【発明の詳細な説明】
【０００１】
【発明の属する技術分野】
この発明は一部異なるフォーマットからなる同じ規格の音声信号を識別する音声データ形式自動認識装置に関するものである。
【０００２】
近年、符号化圧縮技術ＭＰＥＧ−２に基づくデジタルコンテンツをストリーム配信することが普及してきたが、これらに用いられるデジタル映像と音声を同期させるための規格としてＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓが制定した規格）が定められてきた。そのうち、音声に関する規格ＳＭＰＴＥ３０２Ｍには、１９９８年に定められたもの（非特許文献１参照。これを以下「音声形式１」とする。）と、その後２００２年に改定されたもの（非特許文献２参照。これを以下「音声形式２」とする。）とがある。しかし、音声形式１と音声形式２ではデータの構成が一部異なっており、そのためそれぞれに準拠した音声データ間には互換性がない。また、これら音声データを自動認識する方法については規格では定められていない。したがって、これらの音声データを受信する場合、対象とする信号データが音声形式１であるのか、音声形式２であるのかを人為的に前もって知り、送信側と受信側で処理に関する両者の音声形式を一致させておく必要があった。
【０００３】
【非特許文献１】
“ＳＭＰＴＥ  ＳＴＡＮＤＲＤ  ｆｏｒ  Ｔｅｌｅｖｉｓｉｏｎ  Ｍａｐｐｉｎｇ  ｏｆ  ＡＥＳ３  Ｄａｔａ  ｉｎｔｏ  ＭＰＥＧ−２  Ｔｒａｎｓｐｏｒｔ  Ｓｔｒｅａｍ，ＳＭＰＴＥ３０２Ｍ−１９９８  Ｓｅｐｔｅｍｂｅｒ  １８，１９９８”ＴＨＥ  ＳＯＣＩＥＴＹ  ＯＦ  ＭＯＴＩＯＮ  ＰＩＣＴＵＲＥ  ＡＮＤ  ＴＥＬＥＶＩＳＩＯＮ  ＥＮＧＩＮＥＥＲＳ
【非特許文献２】
“ＳＭＰＴＥ  ＳＴＡＮＤＲＤ  ｆｏｒ  Ｔｅｌｅｖｉｓｉｏｎ  Ｍａｐｐｉｎｇ  ｏｆ  ＡＥＳ３  Ｄａｔａ  ｉｎｔｏ  ＭＰＥＧ−２  Ｔｒａｎｓｐｏｒｔ  Ｓｔｒｅａｍ，ＳＭＰＴＥ３０２Ｍ−２００２”ＴＨＥ  ＳＯＣＩＥＴＹ  ＯＦ  ＭＯＴＩＯＮ  ＰＩＣＴＵＲＥ  ＡＮＤ  ＴＥＬＥＶＩＳＩＯＮ  ＥＮＧＩＮＥＥＲＳ
【０００４】
【発明が解決しようとする課題】
従来の音声に関するＳＭＰＴＥ３０２Ｍ規格は以上のように構成されているので、最初に音声形式１に準拠した音声データを送受信する装置が作られてきた。これに対し、今では改定規格である音声形式２に準拠した音声データを送受信する装置が作られて、新旧が混在する状態になっている。音声形式１と音声形式２間では同じ名称の規格でありながら両者の互換性がなく、誤った音声形式で送受信してしまった場合に正常な音声信号を損なってしまうという問題があった。
【０００５】
この発明は上記のような課題を解決するためになされたもので、特殊な識別信号等を使用することなく、ＳＭＰＴＥ３０２Ｍ規格に準拠した音声データの２種類の音声形式を自動認識し正常な音声再生を可能とする音声データ形式自動認識装置を得ることを目的とする。
【０００６】
【課題を解決するための手段】
この発明に係る音声データ形式自動認識装置は、同じ所定の数のフレームで構成され、所定の数のフレーム毎に挿入されるＦビットが互いに異なる周期位置で挿入されている複数の音声形式の音声ストリームデータが入力される音声データ形式自動認識装置であって、音声ストリームデータから所定の音声形式の周期位置でＦビットを抽出するＦビット抽出部と、抽出したＦビットが所定の音声形式の周期性を有するか否かを判断し判断信号を得るＦビット周期検出部と、判断信号が所定の音声形式の周期性を検出したことを示した場合にのみ音声ストリームデータから分離した音声信号を出力するエラー処理部とを備えたものである。
【０００７】
この発明に係る音声データ形式自動認識装置は、同じ所定の数のフレームで構成され、所定の数のフレーム毎に挿入されるＦビットが互いに異なる周期位置で挿入されている音声形式１および音声形式２の音声ストリームデータが入力される音声データ形式自動認識装置であって、音声ストリームデータから音声形式１の周期位置でＦビットを抽出する第１のＦビット抽出部と、音声ストリームデータから前記音声形式２の周期位置でＦビットを抽出する第２のＦビット抽出部と、第１のＦビット抽出部で抽出したＦビットが音声形式１の周期性を有するか否かを判断し第１の判断信号を得る第１のＦビット周期検出部と、第２のＦビット抽出部で抽出したＦビットが音声形式２の周期性を有するか否かを判断し第２の判断信号を得る第２のＦビット周期検出部と、第１および第２の判断信号から音声形式を判定して判定信号を出力する形式判定部と、判定信号が示す音声形式の音声ストリームデータから分離した音声信号を出力する音声形式選択部とを備えたものである。
【０００８】
【発明の実施の形態】
以下、この発明の実施の形態を説明する。
実施の形態１．
図１はこの発明の実施の形態１による音声形式１（ＳＭＰＴＥ３０２Ｍ−１９９８）の音声データ形式自動認識装置の回路構成を示すブロック図である。
図において、ＥＳ（Ｅｌｅｍｅｎｔａｒｙ  Ｓｔｒｅａｍｓ）ヘッダ分離部１１にＳＭＰＴＥ３０２Ｍに準拠した音声ＥＳデータが入力されると、音声ＥＳデータ１０１と音声ＥＳヘッダ情報１０２に分離され、受信バッファ１２に送られる。音声ＥＳデータ１０１は、受信バッファ１２において、音声ＥＳヘッダ情報１０２に基づいてバッファリングされて音声ＥＳデータ１０３として音声形式１ＶＵＣＦ（Ｖａｌｉｄｉｔｙ，Ｕｓｅｒ，Ｃｈａｎｎｅｌ  ｓｔａｔｕｓ  ａｎｄ  Ｆｒａｍｉｎｇ）分離部１３と形式１検出部１７に送られる。形式１検出部１７の形式１Ｆ（Ｆｒａｍｉｎｇ）ビット抽出部１４では、音声形式１のＥＳフォーマットに基づいてＦビット１０６を抽出する。Ｆビット周期検出部１６１では、後に詳述するが、抽出されたＦビット１０６を使用して音声形式１であるか否かを判断し、その判断信号１０７をエラー処理部１５に送る。なお、上記ＶＵＣＦで、「Ｖ」は音声ストリームが正当か否かを示すビット、「Ｕ」はユーザが任意に使用できるビット、「Ｃ」はサンプリング周波数等の音声ステータス情報を示すビット、「Ｆ」はＦビットと称し、所定の数のフレーム（１９２フレーム）で構成された音声ストリームデータの区切りを示すビットのことである。
【０００９】
一方、形式１ＶＵＣＦ分離部１３では、音声ＥＳデータ１０３を音声形式１のＥＳフォーマットに基づいて音声ＡＥＳデータ（デジタルの音声信号）１０４とＶＵＣＦ１０５に分離し、エラー処理部１５に送る。エラー処理部１５では、音声ＥＳデータ１０３が音声形式１でないことを示す判断信号１０７を受けた場合、音声ＡＥＳデータ１０４とＶＵＣＦ１０５に対してミュート処理を施して出力する。また、音声ＥＳデータ１０３が音声形式１であることを示す判断信号１０７を受けた場合、エラー処理部１５では、音声ＡＥＳデータ１０４とＶＵＣＦ１０５にミュート処理を施さずに出力する。
【００１０】
ここで、形式１検出部１７の詳細動作の説明に先立ち、ＳＭＰＴＥ３０２Ｍ−１９９８（音声形式１）のデータ構成について図３で説明する。使用するデータのビット数としては、１６，２０，２４ビットの３種類が決められている。１６ビットデータを伝送する場合を例にとると、Ｆビットが多重されている位置は、チャネルＡ側の場合、先頭から４，４４，８４，…ビット目、すなわち４０×Ｎ＋４ビット目となる。また、チャネルＢ側の場合、先頭から２４，６４，１０４，…ビット目、すなわち４０×Ｎ＋２４ビット目となる。ただし、Ｎは０から１９１の整数値を取る。この発明では、音声形式１のＦビットは上記の周期位置から抽出される。なお、２０ビットデータ、２４ビットデータの伝送についても考え方は同じなので説明を省略する。
【００１１】
音声形式１および音声形式２で共通であるが、Ｆビットの周期性について図４で説明する。図からわかるように、Ｆビットは、フレーム番号０のサブフレームＡにおいて「１」となり、他のフレーム番号ではすべて「０」となる。また、音声ブロックは、１９２個のフレームで構成されており、Ｆビットは音声ブロックの先頭で「１」が立つことから、サブフレームＡ側のＦビットは、１９２フレームに１回「１」となるという周期性を持っている。この発明では、このＦビットの周期性を利用して音声形式の認識を行っている。
【００１２】
次に、形式１検出部１７の動作の詳細を説明する。
図２は音声形式１の検出手順を示すフローチャートである。図において、Ｃｏｕｎｔ（ａ）およびＣｏｕｎｔ（ｂ）はＦビット周期検出部１６１内のカウンタを表し、Ｆ（Ａ）はチャネルＡ側のＦビット、Ｆ（Ｂ）はチャネルＢ側のＦビットを表すものとする。
まず、形式１Ｆビット抽出部１４で、受信バッファ１２からの入力の音声ＥＳデータ１０３からＦビットを抽出する（ステップＳＴ２０）。前述したように１６ビット音声の場合、音声ＥＳデータの先頭から４０×Ｎ＋４ビットの位置にＦ（Ａ）があり、４０×Ｎ＋２４ビットの周期位置にＦ（Ｂ）があるので、これらを抽出する。なお、Ｎは０から１９１までの整数である。チャネルＡ側で抽出されたＦ（Ａ）２０１およびチャネルＢ側で抽出されたＦ（Ｂ）２０２はそれぞれ次のステップに移る。
【００１３】
ステップＳＴ２０でＦ（Ｂ）が抽出された場合は、そのＦ（Ｂ）２０２は常に「０」と比較される（ステップＳＴ２１）。Ｆ（Ｂ）は正しくは「０」となる筈であるが、もし「１」となった場合にはＦ（Ｂ）は異常であると判断され、その情報２０３を論理ブロック３１に伝える。
一方、Ｆ（Ａ）２０１が抽出された場合は、始めにｃｏｕｎｔ（ａ）を計数値０に設定し（ステップＳＴ２２）、Ｆ（Ａ）が「１」か否かを比較する（ステップＳＴ２３）。Ｆ（Ａ）が「０」の場合はｃｏｕｎｔ（ａ）をカウントアップする（ステップＳＴ２４）。Ｆ（Ａ）は１９２個より多く「０」が続くことはないため、もし、ｃｏｕｎｔ（ａ）の計数値が１９２より大きくなった場合、Ｆ（Ａ）は異常であると判断し（ステップＳＴ２５）、その情報２０４を論理ブロック３１に伝える。一方、ｃｏｕｎｔ（ａ）が計数値１９２以下の場合にはステップＳＴ２３に戻って、再びＦ（Ａ）が「１」か否かを比較する。ステップＳＴ２３で、Ｆ（Ａ）が「１」となった場合にはｃｏｕｎｔ（ｂ）を計数値０に設定した後（ステップＳＴ２６）、Ｆ（Ａ）が抽出される毎にｃｏｕｎｔ（ｂ）をカウントアップしていき（ステップＳＴ２７）、さらにその値を監視する（ステップＳＴ２８）。ｃｏｕｎｔ（ｂ）の計数値が０から１９０の値を取るときはＦ（Ａ）を「０」と比較する。もしＦ（Ａ）が「０」の場合には、そのままステップＳＴ２７に戻ってカウントアップを続けるが、「１」の場合には、Ｆ（Ａ）が異常であると判断し、その情報２０５を論理ブロックに伝える（ステップＳＴ２９）。
【００１４】
ステップＳＴ２８で、ｃｏｕｎｔ（ｂ）が１９１と等しくなった時、Ｆ（Ａ）を「１」と比較する（ステップＳＴ３０）。もしＦ（Ａ）が「０」の場合はそのＦ（Ａ）は異常であると判断し、その情報２０６を論理ブロックに伝える。一方、ステップＳＴ３０で、Ｆ（Ａ）が「１」となった場合は、そのＦ（Ａ）は正常であると判断し、その判断信号１０７をエラー処理部１５に伝えると共に、ステップＳＴ２６の処理に戻る。正常であることを示す判断信号１０７がエラー処理部１５に送られた場合、ＥＳデータ１０３を音声形式１のストリームであると判断して、エラー処理部１５は、入力される音声ＡＥＳデータ１０４とＶＵＣＦ１０５を出力する。
【００１５】
他方、論理ブロック３１では、上記各ステップＳＴ２１、ＳＴ２５、ＳＴ２９、ＳＴ３０でＦ（Ａ）もしくはＦ（Ｂ）が異常であると判断された情報２０３，２０４，２０５，２０６の論理和をとる。論理和をとった信号がアクティブであれば、Ｆビットが異常であるということになる。すなわち、ＥＳデータ１０３が音声形式１のストリームではないことになる。その場合、異常であることを示す判断信号１０７がエラー処理部１５に伝えられ、音声形式１ではない音声ＡＥＳデータ１０４とＶＵＣＦ１０５に対してミュートがかけられる。
【００１６】
以上のように、この実施の形態１によれば、形式１Ｆビット抽出部１４により音声ストリームデータから音声形式１の周期位置でＦビットを抽出し、Ｆビット周期検出部１６１により、抽出したＦビットが音声形式１の周期性を有するか否かを判断し判断信号を得、エラー処理部１５により、判断信号が音声形式１の周期性を検出したことを示した場合にのみ音声ストリームデータから分離した音声信号を出力するようにしている。したがって、受信装置にこの音声データ形式自動認識装置を使用することにより、音声形式１の音声データだけを取り出し再生し、音声形式２の音声データについては排除するので、異常な音声再生が行われるのを防ぐ効果が得られる。
【００１７】
実施の形態２．
図５はこの発明の実施の形態２による音声形式２（ＳＭＰＴＥ３０２Ｍ−２００２）の音声データ形式自動認識装置の回路構成図を示すブロック図である。図において、図１と同一および相当する部分には同一符号を付し、その説明については原則として省略する。
音声形式２検出部５３は形式２Ｆビット抽出部５２とＦビット周期検出部１６２からなる。形式２Ｆビット抽出部５２では形式２のＥＳフォーマットに基づいてＦビット５０３を抽出する。Ｆビット周期検出部１６２は、抽出されたＦビット５０３について形式２であるか否かを判断し、その判断信号５０４をエラー処理部１５に送る。一方、形式２ＶＵＣＦ分離部５１では、音声ＥＳデータ１０３を形式２のＥＳフォーマットに基づいて音声ＡＥＳデータ５０１とＶＵＣＦ５０２に分離し、エラー処理部１５に送る。
【００１８】
エラー処理部１５では、音声ＥＳデータ１０３が形式２でないことを示す判断信号５０４を受けた場合、音声ＡＥＳデータ５０１とＶＵＣＦ５０２にミュート処理を施して出力する。また、音声ＥＳデータ１０３が形式２であることを示す判断信号５０４を受けた場合、エラー処理部１５は音声ＡＥＳデータ５０１とＶＵＣＦ５０２にミュート処理を施さずに出力する。
【００１９】
ＳＭＰＴＥ３０２Ｍ−２００２（音声形式２）のデータ構成について図６に示す。使用するデータのビット数としては、音声形式１と同じで、１６，２０，２４ビットの３種類が決められている。１６ビットデータを伝送する場合を例にとると、Ｆビットが多重されている位置は、チャネルＡ側の場合、先頭から２０，６０，１００，…ビット目、すなわち４０×Ｎ＋２０ビット目となる。また、チャネルＢ側の場合、先頭から４０，８０，１２０，…ビット目、すなわち４０×Ｎ＋４０ビット目となる。ただし、Ｎは０から１９１までの整数値を取る。この発明では、音声形式２のＦビットは上記の周期位置から抽出される。なお、２０ビットデータ、２４ビットデータの伝送についても考え方は同じなので説明を省略する。
形式２検出部５３の動作は、実施の形態１の形式１検出部１７と同様に行われるので、その説明を省略する。
【００２０】
以上のように、この実施の形態２によれば、形式２Ｆビット抽出部５２により音声ストリームデータから音声形式２の周期位置でＦビットを抽出し、Ｆビット周期検出部１６２により、抽出したＦビットが音声形式２の周期性を有するか否かを判断し判断信号を得、エラー処理部１５により、判断信号が音声形式２の周期性を検出したことを示した場合にのみ音声ストリームデータから分離した音声信号を出力するようにしている。したがって、受信装置にこの音声データ形式自動認識装置を使用することにより、音声形式２の音声データだけを取り出し再生し、音声形式１の音声データについては排除するので、異常な音声再生が行われるのを防ぐ効果が得られる。
【００２１】
実施の形態３．
図７はこの発明の実施の形態３による音声形式１および音声形式２音声データ形式自動認識装置の回路構成を示すブロック図である。図において、図１および図５と同一および相当する部分には同一符号を付し、その説明については原則として省略する。図７は、図１と図２の構成を併合し、エラー処理部１５の代わりに、形式判定部７１および音声形式選択部７２を新たに出力側に設けている。
形式判定部７１は、形式１検出部１７の判断信号１０７と形式２検出部５３の判断信号５０４からＳＭＰＴＥ３０２Ｍの音声形式を判定し、判定信号７０１を音声形式選択部７２に出力する。音声形式選択部７２では、音声形式１の構成に基づいて分離された音声ＡＥＳデータ１０４とＶＵＣＦ１０５および音声形式２の構成に基づいて分離された音声ＡＥＳデータ５０１とＶＵＣＦ５０２を判定結果信号７０１に基づいて切り替える。このように、ＳＭＰＴＥ３０２Ｍの形式判定することにより、外部スイッチ等を用いず自動的に形式の切り替えを行うことが可能となる。
【００２２】
以上のように、この実施の形態３によれば、形式１Ｆビット抽出部１４により音声ストリームデータから音声形式１の周期位置でＦビットを抽出し、Ｆビット周期検出部１６１により、この抽出したＦビットが音声形式１の周期性を有するか否かを判断して第１の判断信号を得、また、形式２Ｆビット抽出部５２により音声ストリームデータから音声形式２の周期位置でＦビットを抽出し、Ｆビット周期検出部１６２により、この抽出したＦビットが音声形式２の周期性を有するか否かを判断して第２の判断信号を得、第１および第２の判断信号から形式判定部７１で音声形式を判定して判定信号を出力し、音声形式選択部７２により、判定信号が示す音声形式の音声ストリームデータから分離した音声信号を出力するようにしている。したがって、この音声データ形式自動認識装置を使用することにより、音声形式１と音声形式２のいずれの音声データに対しても互換性を持たすことができ、正常な音声再生を可能にする効果が得られる。
【００２３】
【発明の効果】
以上のように、この発明によれば、同じ所定の数のフレームで構成され、所定の数のフレーム毎に挿入されるＦビットが互いに異なる周期位置で挿入されている複数の音声形式の音声ストリームデータが入力される音声データ形式自動認識装置であって、音声ストリームデータから所定の音声形式の周期位置でＦビットを抽出するＦビット抽出部と、抽出したＦビットが所定の音声形式の周期性を有するか否かを判断し判断信号を得るＦビット周期検出部と、判断信号が所定の音声形式の周期性を検出したことを示した場合にのみ音声ストリームデータから分離した音声信号を出力するエラー処理部とを備えるように構成したので、所定の音声形式の受信装置にこの音声データ形式自動認識装置を使用することにより、所定の音声形式の音声データだけを取り出し再生し、他の音声形式の音声データについては排除するので、異常な音声再生が行われるのを防ぐ効果がある。
【００２４】
この発明によれば、同じ所定の数のフレームで構成され、所定の数のフレーム毎に挿入されるＦビットが互いに異なる周期位置で挿入されている音声形式１および音声形式２の音声ストリームデータが入力される音声データ形式自動認識装置であって、音声ストリームデータから音声形式１の周期位置でＦビットを抽出する第１のＦビット抽出部と、音声ストリームデータから前記音声形式２の周期位置でＦビットを抽出する第２のＦビット抽出部と、第１のＦビット抽出部で抽出したＦビットが音声形式１の周期性を有するか否かを判断し第１の判断信号を得る第１のＦビット周期検出部と、第２のＦビット抽出部で抽出したＦビットが音声形式２の周期性を有するか否かを判断し第２の判断信号を得る第２のＦビット周期検出部と、第１および第２の判断信号から音声形式を判定して判定信号を出力する形式判定部と、判定信号が示す音声形式の音声ストリームデータから分離した音声信号を出力する音声形式選択部とを備えるように構成したので、音声形式１と音声形式２のいずれの音声ストリームデータに対して互換性のある受信装置を実現でき、正常な音声再生を可能にする効果がある。
【図面の簡単な説明】
【図１】この発明の実施の形態１による音声形式１（ＳＭＰＴＥ３０２Ｍ−１９９８）の音声データ形式自動認識装置の回路構成を示すブロック図である。
【図２】この発明の実施の形態１に係る音声形式１の検出手順を示すフローチャートである。
【図３】音声形式１のデータ構成を説明する図である。
【図４】音声形式１のデータのＦビットの周期性を説明する図である。
【図５】この発明の実施の形態２による音声形式２（ＳＭＰＴＥ３０２Ｍ−２００２）の音声データ形式自動認識装置の回路構成を示すブロック図である。
【図６】音声形式２のデータ構成を説明する図である。
【図７】この発明の実施の形態３による音声形式１および音声形式２音声データ形式自動認識装置の回路構成を示すブロック図である。
【符号の説明】
１１  ＥＳヘッダ分離部、１２  受信バッファ、１３  形式１ＶＵＣＦ分離部、１４  形式１Ｆビット抽出部、１５  エラー処理部、１７  形式１検出部、５１  形式２ＶＵＣＦ分離部、５２  形式２Ｆビット抽出部、５３  形式２検出部、７１  形式判定部、７２  音声形式選択部、１６１，１６２  Ｆビット周期検出部。
【図１】
2005003913.tif 000003
【図２】
2005003913.tif 000004
【図３】
2005003913.tif 000005
【図４】
2005003913.tif 000006
【図５】
2005003913.tif 000007
【図６】
2005003913.tif 000008
【図７】
2005003913.tif 000009